(57)【要約】【課題】  携帯電話機の中に水分が浸入する可能性のある局面において、水分の浸入により故障が生じるにせよ、それによる損失を極力回避できる携帯電話機を提供する。【解決手段】  携帯電話機１は表示部ケース２と操作部ケース３をヒンジ部４で連結した構造であり、ケース表面に水濡れ検知部４４、４５、４６、４７を配置している。水濡れ検知部４４はヒンジ部４に配置され、水濡れ検知部４５は携行時にケースの頂部となる箇所に配置され、水濡れ検知部４６はストラップ取り付け部１３に配置され、水濡れ検知部４７は机上載置時にケース底面となる面に配置される。水濡れ検知部４４、４５、４６、４７のいずれかが水濡れを検知すると、制御部４０はメモリ４３に記憶されたデータのバックアップデータを所定の受信先に自動送信する。【選択図】        図１
2007019931.tif 000002
【特許請求の範囲】
【請求項１】
通常の送話機能及び受話機能に加えて、各種データを記憶するメモリと、ケース表面に配置された水濡れ検知部を備え、制御部は、前記水濡れ検知部が水濡れを検知したときは、前記メモリに記憶されたデータを所定の受信先に自動送信することを特徴とする携帯電話機。
【請求項２】
前記水濡れ検知部が、二つ折りケースのヒンジ部に配置されることを特徴とする請求項１に記載の携帯電話機。
【請求項３】
前記水濡れ検知部が、携行時にケースの頂部となる箇所に配置されることを特徴とする請求項１に記載の携帯電話機。
【請求項４】
前記水濡れ検知部が、ケースのストラップ取り付け部に配置されることを特徴とする請求項１に記載の携帯電話機。
【請求項５】
前記水濡れ検知部が、机上載置時にケース底面となる面に配置されることを特徴とする請求項１に記載の携帯電話機。
【請求項６】
前記水濡れ検知部が、対をなす短絡用端子部で構成されることを特徴とする請求項１〜５のいずれか１項に記載の携帯電話機。
【請求項７】
前記データはバックアップされるデータであることを特徴とする請求項１に記載の携帯電話機。
【請求項８】
前記データは電話アドレス及び／又はメールアドレスと画像を含み、電話アドレス及び／又はメールアドレス送信終了後に画像を送信することを特徴とする請求項１に記載の携帯電話機。
【発明の詳細な説明】
【技術分野】
【０００１】
本発明は携帯電話機に関する。
【背景技術】
【０００２】
携帯電話機には、水に濡らしたり、水に落としたりする危険がつきまとう。この問題に対処するため、これまでにも様々な対策が講じられている。特許文献１に記載された携帯電話機のように防水型にしてしまうというのも有力な対策である。
【特許文献１】特開２００４−１７２６７７号公報（第６頁−第９頁、図１−図３）
【発明の開示】
【発明が解決しようとする課題】
【０００３】
携帯電話機を防水型にするのはコストがかさむ。また、野外での業務に従事したり、登山などの野外活動を頻繁に行う人ででもなければ防水機能は宝の持ち腐れとなる可能性が高い。しかしながら、普通の生活をしていたとしても、携行中の携帯電話を雨で濡らしたり、机上の携帯電話機に飲み物をこぼしたりするような事故は十分起こり得る。また、携帯電話機に水を直接接触させなくても、携帯電話機への水分浸入はしばしば観察される。汗に濡れた衣服のポケットに携帯電話機を入れておいたり、寒い場所から暑い場所への移動で内部に結露が生じたりすること等がその原因である。いずれにせよ、携帯電話機に水分が浸入すれば配線が短絡したり、腐食したりし、故障は免れない。
【０００４】
本発明は上記の点に鑑みなされたものであり、携帯電話機の中に水分が浸入する可能性のある局面において、水分の浸入により故障が生じるにせよ、それによる損失を極力回避できる携帯電話機を提供することを目的とする。
【課題を解決するための手段】
【０００５】
（１）上記目的を達成するために本発明の携帯電話機は、通常の送話機能及び受話機能に加えて、各種データを記憶するメモリと、ケース表面に配置された水濡れ検知部を備え、制御部は、前記水濡れ検知部が水濡れを検知したときは、前記メモリに記憶されたデータを所定の受信先に自動送信することを特徴としている。
【０００６】
この構成によると、水に濡れ、内部に水が浸入して故障を引き起こす可能性が生じたときには、安全な場所に各種データのバックアップデータを保存し、データの消滅という事態を避けることができる。
【０００７】
（２）また本発明は、上記構成の携帯電話機において、前記水濡れ検知部が、二つ折りケースのヒンジ部に配置されることを特徴としている。
【０００８】
この構成によると、浸水対策が困難なヒンジ部で水濡れを見張るから、ヒンジ部が水で濡れた場合それをいち早くキャッチし、携帯電話機に水分が浸入して故障が生じる前にバックアップデータを保存することができる。
【０００９】
（３）また本発明は、上記構成の携帯電話機において、前記水濡れ検知部が、携行時にケースの頂部となる箇所に配置されることを特徴としている。
【００１０】
この構成によると、ケースの頂部で水濡れを見張るから、雨が降ってきた場合などそれをいち早くキャッチし、携帯電話機に水分が浸入して故障が生じる前にバックアップデータを保存することができる。
【００１１】
（４）また本発明は、上記構成の携帯電話機において、前記水濡れ検知部が、ケースのストラップ取り付け部に配置されることを特徴としている。
【００１２】
この構成によると、ケースのストラップ取り付け部で水濡れを見張るから、携帯電話機を入れたポケットやハンドバッグの外にストラップを出しているような場合、ストラップを伝わってきた雨をいち早くキャッチし、携帯電話機に水分が浸入して故障が生じる前にバックアップデータを保存することができる。
【００１３】
（５）また本発明は、上記構成の携帯電話機において、前記水濡れ検知部が、机上載置時にケース底面となる面に配置されることを特徴としている。
【００１４】
この構成によると、机上にこぼした水分が携帯電話機の方に押し寄せてきた場合、それをいち早くキャッチし、携帯電話機に水分が浸入して故障が生じる前にバックアップデータを保存することができる。
【００１５】
（６）また本発明は、上記構成の携帯電話機において、前記水濡れ検知部が、対をなす短絡用端子部で構成されることを特徴としている。
【００１６】
この構成によると、簡単な構成で確実に水濡れを検知することができる。
【００１７】
（７）また本発明は、上記構成の携帯電話機において、前記データはバックアップされるデータであることを特徴としている。
【００１８】
この構成によると、バックアップが必要であったデータの消滅という事態を避けることができる。
【００１９】
（８）また本発明は、上記構成の携帯電話機において、前記データは電話アドレス及び／又はメールアドレスと画像を含み、電話アドレス及び／又はメールアドレス送信終了後に画像を送信することを特徴としている。
【００２０】
この構成によると、送信に時間がかかる画像の送信中に故障して重要な電話アドレスやメールアドレスまでもバックアップされなかったという事態を回避することができる。即ち、重要な電話アドレスやメールアドレスのバックアップ成功率を向上させることができる。
【発明の効果】
【００２１】
本発明によると、携帯電話機が水に濡れ、内部に水が浸入して故障を引き起こす可能性が生じたときには、大切なデータのバックアップデータを安全な場所に保存し、データの消滅という最悪の事態を避けることができる。
【発明を実施するための最良の形態】
【００２２】
以下、本発明の一実施形態を図１−図４に基づき説明する。図１は携帯電話機を内面側から見た斜視図、図２は携帯電話機を外面側から見た正面図、図３は携帯電話機を二つ折りにした状態の断面図、図４は携帯電話機のブロック構成図である。
【００２３】
携帯電話機１のケースはクラムシェルタイプ、すなわち二つ折り形状であって、表示部ケース２と操作部ケース３をヒンジ部４で連結した構造を備える。
【００２４】
二つ折りにしたとき内側になる面、すなわち内面側の構成は次の通りである。表示部ケース２には主表示部５と、受話部の音を出す聴話孔６が設けられている。操作部ケース３にはテンキーや各種の機能キーを配置したキー入力部７と、送話部に音声を届かせる通話孔８が設けられている。
【００２５】
二つ折りにしたとき外側になる面、すなわち外面側の構成は次の通りである。表示部ケース２には副表示部９、レンズ保護パネル１０、フラッシュライト１１、及び充電表示ランプ１２が設けられている。操作部ケース３にはストラップ取り付け部１３、多数の貫通孔よりなるスピーカグリル１４、及び電池交換蓋１５が設けられている。操作部ケース３は側面に切替スイッチや通信ケーブル接続口等を有するが、これらについての説明は省く。
【００２６】
次に、図３に基づき携帯電話機１の内部構造を説明する。表示部ケース２の中には主表示部５の表示手段である液晶表示パネル２０と、副表示部９の表示手段である液晶表示パネル２１が配置されている。液晶表示パネル２０、２１の画面を露出させる窓は透明な保護パネル２２、２３で覆われている。この他表示部ケース２の中には受話ユニット２４とカメラユニット２５が設けられる。カメラユニット２５のレンズを露出させる窓はレンズ保護パネル２６で覆われる。
【００２７】
他方操作部ケース３の内部には、キー入力部７を構成するキーボード３０と、制御回路基板３１と、スピーカグリル１４を通じて音を出す拡声スピーカ３２とが配置されている。
【００２８】
携帯電話機１のブロック構成を図４に示す。携帯電話機１の制御の中心となるのは制御部４０であり、これに液晶表示パネル２０、２１、受話ユニット２４、カメラユニット２５、キーボード３０、及び拡声スピーカ３２の既出構成要素の他、マイクロフォンを含む送話ユニット４１、送受信部４２、及び制御部４０の動作に必要な情報を記憶するメモリ４３が接続されている。
【００２９】
携帯電話機１のケース表面には、４箇所に水濡れ検知部が配置される。第１の水濡れ検知部４４はヒンジ部４に配置されている（図１参照）。第２の水濡れ検知部４５は携行時にケースの頂点となる箇所に配置されている。この実施形態では表示部ケース２の開閉端が水濡れ検知部４５の配置箇所となっている（図２参照）。第３の水濡れ検知部４６はストラップ取り付け部１３に配置されている。第４の水濡れ検知部４７は机上載置時にケース底面となる面、すなわち操作部ケース３の外面に配置されている。
【００３０】
第１の水濡れ検知部４４、第２の水濡れ検知部４５、及び第３の水濡れ検知部４６は、いずれもケース表面に近接配置された１対の短絡用端子部で構成される。第４の水濡れ検知部４７は、操作部ケース３の外面のヒンジ部側と開閉端側に１対ずつ互いに間隔を置いて配置した計４個の短絡用端子４８（図３参照）により構成される。短絡用端子４８は導電性のゴムからなり、携帯電話機１を４点支持する脚部としての役割も果たす。これらの水濡れ検知部は、対をなす端子が水分で短絡されたことをもって水濡れを検知する。水濡れ検知部４７にあっては、任意の２個の短絡用端子４８が水分で短絡されたことをもって水濡れを検知する。
【００３１】
上記第１〜第４の水濡れ検知部４４、４５、４６、４７は、それぞれの配置場所に応じて次の機能を果たす。第１の水濡れ検知部４４はヒンジ部４が水で濡れたことを検知する。第２の水濡れ検知部４５はポケットやバッグに入れて携行している間に雨が降ってきたらそれを検知する。第３の水濡れ検知部４６は水分がストラップを伝わってきたことを検知する。第４の水濡れ検知部４７は机上にこぼれていた水分、あるいは携帯電話機１を置いた机の上に広がってきた水分を検知する。
【００３２】
制御部４０は、第１〜第４の水濡れ検知部４４、４５、４６、４７のいずれかが水濡れを検知したとき、メモリ４３に記憶されたデータのバックアップデータを所定の受信先、例えば自宅のパーソナルコンピュータに自動送信する。水濡れから水分の浸入へと事態が悪化し、最終的に携帯電話機１が故障したとしても、安全な場所にバックアップデータが保存してあるので、データの消滅という最悪の事態は避けることができる。
【００３３】
データの送信には時間がかかる。そこで、データファイルに優先順位をつけ、優先度の高いものから順次送信する。電話アドレスやメールアドレスのような重要ファイルは優先順位を高くし、画像ファイルのようなデータ量の多いファイルは優先順位を低くする。具体的には、水濡れを検出すると、所定の送信先に電話アドレスとメールアドレスのみ送信する。この送信終了後、同じ送信先に画像ファイルを含む残りのデータを送信する。これにより、時間がかかる画像ファイルの送信途中で携帯電話機１の故障が現実のものとなったとしても、重要な電話アドレスとメールアドレスは容量が少なくて送信時間が短いので救出されている確率が高まる。
【００３４】
携帯電話機１を汗に濡れた衣服のポケットに入れたり、寒い場所から暑い場所に移動させて表面に結露が生じたりした場合にも、第１〜第４の水濡れ検知部４４、４５、４６、４７のいずれかがこれを検知してデータを所定の受信先に自動送信する。これにより、携帯電話機１を水に濡らしたという自覚のないまま使用を続け、やがて携帯電話機１が故障したとしても、データ自体は安全な場所から回収することができる。
【００３５】
なお第１〜第４の水濡れ検知部４４、４５、４６、４７は、その全てを１台の携帯電話機に配置しなければならないというものではない。必要なもののみ選択して配置すればよい。また携帯電話機の形状が二つ折りタイプに限定されるものでもない。ストレートタイプであってもよく、スライドタイプであってもよい。
【００３６】
以上、本発明の実施形態につき説明したが、本発明の範囲はこれに限定されるものではなく、発明の主旨を逸脱しない範囲で種々の変更を加えて実施することができる。
【産業上の利用可能性】
【００３７】
本発明は、格別防水機能を有しない携帯電話機に広く利用可能である。
【図面の簡単な説明】
【００３８】
【図１】携帯電話機を内面側から見た斜視図
【図２】携帯電話機を外面側から見た正面図
【図３】携帯電話機を二つ折りにした状態の断面図
【図４】携帯電話機のブロック構成図
【符号の説明】
【００３９】
１    携帯電話機
２    表示部ケース
３    操作部ケース
４    ヒンジ部
１３  ストラップ取り付け部
４４、４５、４６、４７  水濡れ検知部
【図１】
2007019931.tif 000003
【図２】
2007019931.tif 000004
【図３】
2007019931.tif 000005
【図４】
2007019931.tif 000006